(57)【要約】【課題】吸込具本体に対し継手管を大きく回動させても使用者が扱いやすく、連結箇所の開口から不要な吸引をしない電気掃除機の吸込具を提供することを目的とする。【解決手段】吸込具本体と、吸込具本体の下面側に設けられ、塵埃を吸い込むための吸込口と、吸込具本体に回動可能に連結された、通気可能な風路を有する継手管と、を備え、継手管は、吸込具本体との連結側に、吸込口と通気可能に連通する連結部開口を有し、連結部開口の短手側辺の概ね中央となる位置に、吸込具本体と回動可能に連結する回動軸が設けられており、回動軸は、吸込具本体の高さ方向において中央寄りの位置で、吸込具本体と連結されていて、回動軸に回動可能に取り付けられ、回動軸の回動中心と同じ回動中心で回動する、継手管を回動させたときに吸込具本体との間にできる開口を塞ぐためのシャッター部材を備え、シャッター部材は、継手管の回動と連動して開口を塞ぐものである。【選択図】図２
2016202276.tif 000002
【特許請求の範囲】
【請求項１】
吸込具本体と、
該吸込具本体の下面側に設けられ、被清掃面上の塵埃を吸い込むための吸込口と、
前記吸込具本体に回動可能に連結された、通気可能な風路を有する継手管と、を備え、
前記継手管は、前記吸込具本体との連結側に、前記吸込口と通気可能に連通する長方形の連結部開口を有し、前記連結部開口側から見て前記連結部開口の短手側辺の概ね中央となる位置に、前記吸込具本体と回動可能に連結する回動軸が設けられており、
前記回動軸は、前記吸込具本体の高さ方向において中央寄りの位置で、前記吸込具本体と連結されていて、
前記回動軸に回動可能に取り付けられ、前記回動軸の回動中心と同じ回動中心で回動する、前記継手管を回動させたときに前記吸込具本体との間にできる開口を塞ぐためのシャッター部材を備え、該シャッター部材は、前記継手管の回動と連動して前記開口を塞ぐことを特徴とする電気掃除機の吸込具。
【請求項２】
前記継手管は、被清掃面に対し、概ね水平位置から概ね垂直位置まで回動可能であり、
前記継手管を水平位置から垂直位置となるように回動させたとき、前記継手管があらかじめ設定された角度の位置になるまでは前記シャッター部材は回動せず、前記角度の位置を超えて回動させると前記シャッター部材は前記継手管の回動に連動して回動することを特徴とする請求項１に記載の電気掃除機の吸込具。
【請求項３】
前記継手管は、被清掃面に対し、概ね垂直位置から概ね水平位置まで回動可能であり、
前記継手管を垂直位置から水平位置となるように回動させたとき、前記継手管があらかじめ設定された角度の位置になるまでは前記シャッター部材は前記継手管の回動に連動して回動し、前記角度の位置を超えて回動させると前記シャッター部材は回動しないことを特徴とする請求項１あるいは請求項２何れかに記載の電気掃除機の吸込具。
【請求項４】
前記吸込具本体に設けられたリブ形状受け部と、
前記シャッター部材に設けられたリブ形状と第１の凸形状と、を備え、
前記継手管は、被清掃面に対し、概ね水平位置から概ね垂直位置まで回動可能であり、
前記継手管を水平位置から垂直位置となるように回動させたとき、前記継手管があらかじめ設定された角度の位置になるまでは前記シャッター部材の前記リブ形状が、前記吸込具本体のリブ形状受け部と当接することで前記シャッター部材は回動が規制され回動せず、
前記継手管があらかじめ設定された角度の位置になると、前記シャッター部材の凸形状が前記継手管の前記開口の１辺と係合し、前記シャッター部材は前記継手管に固定され、
前記角度の位置を超えて回動させると、前記継手管に固定された前記シャッター部材の前記リブ形状は、前記吸込具本体の前記リブ形状受け部を乗り越えて、前記シャッター部材は前記継手管の回動に連動して回動することを特徴とする請求項１に記載の電気掃除機の吸込具。
【請求項５】
前記吸込具本体に設けられた凸形状受け部と、
前記シャッター部材に設けられた第２の凸形状と、を備え、
前記継手管を垂直位置から水平位置となるように回動させたとき、前記継手管があらかじめ設定された角度の位置になるまでは前記シャッター部材は前記継手管に固定され、前記シャッター部材は前記継手管の回動に連動して回動し、
前記継手管があらかじめ設定された角度の位置になると、前記シャッター部材の第２の凸形状が前記吸込具本体の前記凸形状受け部に当接し、前記シャッター部材は回動が規制され、
前記角度の位置を超えて回動させると、前記継手管のみが回動することを特徴とする請求項４に記載の電気掃除機の吸込具。
【請求項６】
前記シャッター部材は、前記継手管をあらかじめ設定された角度の位置から水平位置に回動させるときに、前記吸込具本体と前記継手管の間にできる第１の開口を塞ぐ第１の閉塞部と、前記継手管をあらかじめ設定された角度の位置から垂直位置に回動させるときに、前記吸込具本体と前記継手管の間にできる第２の開口を塞ぐ第２の閉塞部を備えることを特徴とする請求項１から請求項５何れか１項に記載の電気掃除機の吸込具。
【請求項７】
電動送風機を備えた本体と、
前記電動送風機の駆動により発生する吸引風で吸い込まれた空気に含まれる塵埃を捕集する集塵室が設けられた、前記本体に着脱可能な集塵部と、
前記本体に一端が接続されるホース体と、
前記ホース体の他端に一端が連結される取り回しのための把持部と、
前記電動送風機の切入及び強弱を操作する操作部と、
前記把持部の他端に一端が接続される延長管と、を備え、
前記延長管の他端と接続される請求項１〜請求項６何れか１項に記載の電気掃除機の吸込具を備えたことを特徴とする電気掃除機。
【発明の詳細な説明】
【技術分野】
【０００１】
本発明は電気掃除機の吸込具に関し、さらにはこの吸込具を備えた電気掃除機に関する。
【背景技術】
【０００２】
電気掃除機の吸込具は、電気掃除機本体と延長管等を介して通気可能に接続するための継手管を備えており、吸込具本体と継手管は回動可能、通気可能に連結されている。背の低い家具の下を掃除するために、継手管を被清掃面に近いところまで下げたり、隙間を掃除するために継手管を垂直に近いところまで上げたりすることがあり、そのために継手管の回動領域を大きくすると、吸込具本体と継手管の連結箇所との間に空気が漏れる開口ができるので、その開口を塞ぐシャッター部材を備えた電気掃除機の吸込具が提案されている（例えば、特許文献１参照）。
【先行技術文献】
【特許文献】
【０００３】
【特許文献１】特許第３９７７９６７号公報（第９頁、図８）
【発明の概要】
【発明が解決しようとする課題】
【０００４】
特許文献１に記載の従来の電気掃除機の吸込具は、吸込具本体と継手管が吸込具本体の一番高い位置である上端側で回動可能に連結されている。そのため、使用者が延長管の先に連結されている把持部を操作して吸込具本体を操ろうとするとき、その力は上端側にかかる。
【０００５】
よって、背の低い家具の下を掃除するために、継手管を被清掃面に近いところまで下げて吸込具本体を操ろうとするとき、吸込具本体の一番高い位置に力がかかるので、前後方向に吸込具本体を動かすと吸込具本体の動きが安定せず、被清掃面から吸込具本体の前側が浮いたり、後側が浮いたりして吸引性能、つまりは清掃性能が低下してしまうという課題がある。
【０００６】
本発明は、以上のような課題を解決するためになされたもので、吸込具本体に対し継手管を大きく回動させても使用者が扱いやすく、連結箇所の開口から不要な吸引をしない電気掃除機の吸込具を提供することを目的とする。
【課題を解決するための手段】
【０００７】
課題を解決する本発明に係る電気掃除機の吸込具は、吸込具本体と、吸込具本体の下面側に設けられ、被清掃面上の塵埃を吸い込むための吸込口と、吸込具本体に回動可能に連結された、通気可能な風路を有する継手管と、を備え、継手管は、吸込具本体との連結側に、吸込口と通気可能に連通する長方形の連結部開口を有し、連結部開口側から見て連結部開口の短手側辺の概ね中央となる位置に、吸込具本体と回動可能に連結する回動軸が設けられており、回動軸は、吸込具本体の高さ方向において中央寄りの位置で、吸込具本体と連結されていて、回動軸に回動可能に取り付けられ、回動軸の回動中心と同じ回動中心で回動する、継手管を回動させたときに吸込具本体との間にできる開口を塞ぐためのシャッター部材を備え、シャッター部材は、継手管の回動と連動して開口を塞ぐものである。
【発明の効果】
【０００８】
本発明に係る電気掃除機の吸込具によれば、吸込具本体と回動可能に連結する回動軸を吸込具本体の高さ方向において中央寄りの位置で、吸込具本体と連結するようにしたので、背の低い家具の下を掃除するために、継手管を被清掃面に近いところまで下げて吸込具本体を操るときに、吸込具本体の高さ方向において中央寄りの位置で吸込具本体に力をかけることができて被清掃面から吸込具本体の前側あるいは後側が浮いて吸引性能が低下することがない。また、回動軸の回動中心と同じ回動中心で回動するシャッター部材を備え、シャッター部材は継手管の回動と連動して、継手管と吸込具本体との間にできる開口を塞ぐようにしたので、開口を確実に塞ぐことができ、意図しない吸引をしないことで塵埃を含んだ空気の吸引性能の低下を抑制できる。
【図面の簡単な説明】
【０００９】
【図１】（ａ）本発明の実施の形態１に係る電気掃除機の吸込具を上面方向から見た図、（ｂ）本発明の実施の形態１に係る電気掃除機の吸込具を下面方向から見た図である。
【図２】本発明の実施の形態１に係る電気掃除機の吸込具を、吸込具本体と継手管に分離した状態の斜視図である。
【図３】本発明の実施の形態１に係る電気掃除機の吸込具の概略分解斜視図である。
【図４】本発明の実施の形態１に係る電気掃除機の吸込具を、吸込具本体と継手管に分離した状態の連結部の拡大斜視図である。
【図５】図１（ａ）に示す線Ａ−Ａで切断した本発明の実施の形態１に係る電気掃除機の吸込具の断面図である。
【図６】図１（ａ）に示す線Ｂ−Ｂで切断した本発明の実施の形態１に係る電気掃除機の吸込具の継手管が概ね水平状態の側面方向からの断面図である。
【図７】図６に示す電気掃除機の吸込具の継手管を概ね４５度まで回動させた状態の断面図である。
【図８】図７の要部（連結部）拡大図である。
【図９】図６に示す電気掃除機の吸込具の継手管を概ね垂直位置まで回動させた状態の断面図である。
【図１０】本発明の実施の形態１に係る電気掃除機の吸込具のシャッター部品の動きを規制している状態を示す概略図である。
【図１１】本発明の実施の形態１に係る電気掃除機の吸込具のシャッター部品の動きを規制している状態から解除された状態を示す概略図である。
【図１２】本発明の実施の形態１に係る電気掃除機の吸込具吸込具の継手管を概ね垂直位置にしたとおきのシャッター部品の動きを規制している状態を示す概略図である。
【図１３】本発明の実施の形態１に係る電気掃除機の吸込具を電気掃除機に接続した状態を示す斜視図である。
【発明を実施するための形態】
【００１０】
実施の形態１．
（吸込具の構成）
図１から図５により、本発明の実施の形態１に係る電気掃除機の吸込具の構成を説明する。図１（ａ）は本発明の実施の形態１に係る電気掃除機の吸込具を上面方向から見た図、図１（ｂ）本発明の実施の形態１に係る電気掃除機の吸込具を下面方向から見た図、図２は本発明の実施の形態１に係る電気掃除機の吸込具を、吸込具本体と継手管に分離した状態の斜視図、図３は本発明の実施の形態１に係る電気掃除機の吸込具の概略分解斜視図、図４は本発明の実施の形態１に係る電気掃除機の吸込具を、吸込具本体と継手管に分離した状態の連結部の拡大斜視図、図５は図１（ａ）に示す線Ａ−Ａで切断した本発明の実施の形態１に係る電気掃除機の吸込具の断面図である。なお、それぞれの図において、同じ部分または相当する部分には同じ符号を付し、一部の説明を省略する場合がある。
【００１１】
吸込具１は図１（ａ）及び（ｂ）に示すように、吸込具本体２１と継手管２２で、アルファベットのＴの字の様に構成されている。吸込具本体２１は、硬質の樹脂素材で形成された下ケース２１ｂ、同様に硬質の樹脂素材で形成された上ケース２１ａで外郭が構成される。
【００１２】
下ケース２１ｂと上ケース２１ａの当接部には、軟質の樹脂素材で形成されたダンパー２１ｃがその外周に取付けられている。ダンパー２１ｃは、掃除のときに吸込具１が壁や家具等に当たっても、それらが傷付かないようにするためのものである。
【００１３】
吸込具本体２１の下面側には、吸込口２４が設けられている。これは、下ケース２１ｂに設けられた開口であり、床等の被清掃面から塵埃を吸い込むための開口である。吸込口２４の内部には空間があり、その空間には被清掃面から塵埃を掻き揚げるための回転ブラシ２５が着脱自在に取付けられている。
【００１４】
回転ブラシ２６は図１（ｂ）に示すように、吸込具本体２１下面側の長手方向に内包され、図５に示す吸込具本体２１に内包されたブラシ駆動用モーター３１によって回転力を得ている。
【００１５】
ベルト３８に伝達されたモーター３７の回転力は、図示しない回転力伝達手段より回転ブラシ２５に伝達されて回転ブラシ２５が回転し、被清掃面から塵埃を掻き上げる。これにより塵埃を掻き上げながら吸引できるので清掃性能の向上が図れる。
【００１６】
吸込具本体２１の下面側には、吸込具本体２１の下面から出没自在の、ローラー２６ａを有するスイッチ２６が設けられている。このスイッチ２６は、回転ブラシ２６を回転させるブラシ駆動用モーター３１の回転をオン、オフするためのものである。
【００１７】
回転ブラシ２５は被清掃面から塵埃を掻き上げるので、被清掃面に接触していないときに回転させると無駄な電力を消費したり、使用者が触れて危険であったりする。よって、吸込具本体２１が被清掃面から離れるとスイッチ２６は下面から突出してブラシ駆動用モーター３１がオフし、回転ブラシ２５の回転を停止させ、再び、吸込具本体２１を被清掃面に接触させると、スイッチ２６が没してブラシ駆動用モーター３１がオンし、回転ブラシ２５の回転を開始するようになっている。
【００１８】
ブラシ駆動用モーター３１は図示しない接続線で電気的に接続された、継手管２２に設けられている接続端子２８を介し、後段で説明する電気掃除機本体６に内包される図示しない制御基板と電気的に接続されており、オン、オフが制御されている。
【００１９】
継手管２２の接続端子２８と接続されるブラシ駆動用モーター３１の図示しない接続線は、図２に示す切欠き２１ｇと、図４に示す後段で説明するシャッター部材２３の接続線通し穴２３ｈを通し接続されている。
【００２０】
さらに、吸込具本体２１の下面側には、被清掃面をスムーズに移動できるように車輪２７が設けられている。車輪２７には横滑りさせる動きも想定して、適度な摺動性を持たせている。
【００２１】
図２、図４に示すように継手管２２は、吸込具本体２１に設けられた回動軸受け部２１ｄ、２１ｅに、継手管２２に設けられた回動軸２２ａ、２２ｂが回動自在に保持され、連結されている。
【００２２】
回動軸受け部２１ｄ、２１ｅは、詳しくは、上ケース２１ａと下ケース２１ｂで上下から合わさることで構成され、回動軸２２ａ、２２ｂは上ケース２１ａと下ケース２１ｂで上下から挟みこむようにして保持され、連結されている。
【００２３】
回動軸２２ａ、２２ｂは図５に示すように、吸込具本体２１の高さ方向で、中央寄りの位置で連結されている。連結する位置を中央寄りの高さとすることで、吸込具本体２１の上端の位置で連結するときに比べ、継手管２２の力を吸込具本体２１に伝えやすく、吸込具本体２１の前側あるいは後側が被清掃面から浮きにくくなる。
【００２４】
また、図５に示すように、回動軸２２ａ、２２ｂは後述する連結部開口２２ｃから通気可能に連通する通風路２２ｄの高さ方向の概ね中央に位置している。通風路２２ｄの高さ方向の中央に位置しているので回動させても、通風路２２ｄのバランスが悪くならない。
【００２５】
図３に示すように、継手管２２の吸込具本体２１との連結側には、連結部開口２２ｃが設けられている。連結部開口２２ｃは吸込具本体２１の下面側に設けられた吸込口２４と空気が流れるように連通している。
【００２６】
継手管２２の連結部開口２２ｃには、樹脂成形で形成されたシャッター部材２３が取付けられている。シャッター部材２３は後段で詳しく説明するが、継手管２２を回動させたときに継手管２２と吸込具本体２１との間にできる開口を塞ぐためのものである。
【００２７】
継手管２２と吸込具本体２１との間に開口があると、そこから空気を吸引してしまうので、本来必要な塵埃を含んだ空気を、吸込具本体２１の下面側に設けられた吸込口２４から吸引するときの性能が低下してしまう。
【００２８】
この吸引性能低下を抑制するためのシャッター部材２３であり、継手管２２の回動軸２２ａ、２２ｂを挟んで上下に設けた閉塞部、詳しくは上部閉塞部（第１の閉塞部）２３ｃで、継手管２２と吸込具本体２１との間の上部にできる開口を塞ぎ、下部閉塞部（第２の閉塞部）２３ｄで継手管２２と吸込具本体２１との間の下部にできる開口を塞ぐようになっている。
【００２９】
シャッター部材２３は、図３に示すようにシャッター部材ａ２３ａとシャッター部材ｂ２３ｂの２部品で構成され、継手管２２に設けられた回動軸２２ａ、２２ｂに回動自在に取付けられる。
【００３０】
シャッター部材２３には、図２から図４に示す、後段で説明するシャッター部材の動きを規制したり、継手管２２に固定したりするときの第１の凸形状２３ｅが下部閉塞部（第２の閉塞部）２３ｄに、リブ形状２３ｆがシャッター部材ａ２３ａの側面に、第２の凸形状２３ｇが上部閉塞部（第１の閉塞部）２３ｃに、それぞれ設けられている。
【００３１】
（シャッター部材の動作）
ここからは、図６から図１２を使い、シャッター部材２３の動作について説明する。図６は図１（ａ）に示す線Ｂ−Ｂで切断した本発明の実施の形態１に係る電気掃除機の吸込具の継手管が概ね水平状態の側面方向からの断面図、図７は図６に示す電気掃除機の吸込具の継手管を概ね４５度まで回動させた状態の断面図、図８は図７の要部（連結部）拡大図、図９は図６に示す電気掃除機の吸込具の継手管を概ね垂直位置まで回動させた状態の断面図、図１０は本発明の実施の形態１に係る電気掃除機の吸込具のシャッター部品の動きを規制している状態を示す概略図、図１１は本発明の実施の形態１に係る電気掃除機の吸込具のシャッター部品の動きを規制している状態から解除された状態を示す概略図、図１２は本発明の実施の形態１に係る電気掃除機の吸込具吸込具の継手管を概ね垂直位置にしたとおきのシャッター部品の動きを規制している状態を示す概略図である。なお、それぞれの図において、同じ部分または相当する部分には同じ符号を付し、一部の説明を省略する場合がある。
【００３２】
シャッター部材２３は、図７及び図８の状態、つまり継手管２２を水平面と想定する被清掃面から概ね４５度の位置まで回動させた状態の位置にあるときは、継手管２２に固定され継手管２２と連動、言い替えると継手管２２と一緒に連動して回動する状態にある。
【００３３】
このとき、シャッター部材２３は、下部閉塞部（第２の閉塞部）２３ｄに設けられた第１の凸形状２３ｅが、継手管２２の連結部開口２２ｃの１辺である下側辺の端部と係合し、継手管２２に固定されている状態となっている。第１の凸形状２３ｅと連結部開口２２ｃの下側辺の端部との係合は、一定の力が加わると解除されるようになっている。
【００３４】
前述のように継手管２２と吸込具本体２１は、通気可能に連通している。詳しくは、吸込具本体２１の下面側である下ケース２１ｂに設けられた吸込口２４から吸引した塵埃を含んだ空気は、継手管２２と吸込具本体２１の連結部で継手管２２に設けられた連結部開口２２ｃを通過し、継手管２２を通り後段で説明する電気掃除機１００の延長管２へ流れる。
【００３５】
図７及び図８に示すように、吸込具本体２１の上ケース２１ａ及び下ケース２１ｂと、継手管２２の連結部開口２２ｃの端部の上辺及び下辺との間には隙間があり、下側の隙間はシャッター部材２３の下部閉塞部（第２の閉塞部）２３ｄで埋めている。
【００３６】
上側の隙間は、シャッター部材２３の上部閉塞部（第１の閉塞部）２３ｃの端部に設けられた第２の凸形状２３ｇが、上ケース２１ａに設けられた凸形状受け部２１ｈと当接して埋めている。これにより、吸込口２４以外からの不要な空気の吸引を抑制している。
【００３７】
また、この状態ではシャッター部材２３が吸込具本体２１と継手管２２の連結部開口２２ｃとの間の通風路に突出していないので、通風路を狭めることで発生する吸気のときの異音（風切り音）が発生しない。さらに、シャッター部材２３に塵埃が引っ掛かり留まることもない。
【００３８】
図７に示す継手管２２を被清掃面から概ね４５度の位置から、図９に示す概ね垂直位置まで回動させるとき、前述のようにシャッター部材２３は継手管２２と一緒に連動して回動する状態にある。
【００３９】
継手管２２が被清掃面からほぼ４５度の位置のとき、図１０に示すようにシャッター部材２３のシャッター部材ａ２３ａ側面に設けられたリブ形状２３ｆが、吸込具本体２１の継手管２２の回動軸２２ａが保持される側の上ケース２１ａに設けられた切欠き２１ｆのリブ形状受け部２１ｊによって回動が規制されている。
【００４０】
このリブ形状受け部２１ｊによる規制は一定の力が加わると解除されるようになっており、継手管２２をほほ垂直位置まで回動させようと一定の力を加えると、シャッター部材２３は継手管２２と同時に回動し、図１１に示すようにリブ形状２３ｆはリブ形状受け部２１ｊから外れ、継手管２２と一緒に連動して垂直位置まで回動する。
【００４１】
継手管２２を図９に示すほほ垂直位置まで回動させると、吸込具本体２１の下ケース２１ｂと継手管２２の連結部開口２２ｃの端部の下辺との間に、下部開口（第２の開口）４２ができる。
【００４２】
この下部開口（第２の開口）４２は、継手管２２と一緒に連動して回動したシャッター部材２３の下部閉塞部（第２の閉塞部）２３ｄが下部開口（第２の開口）４２の位置まで回動して塞がれる。これにより、吸込口２４からの塵埃を含んだ空気の吸引力を低下させる不要な空気の吸引を抑制している。
【００４３】
概ね垂直位置まで回動させた継手管２２は、それ以上回動しないように上ケース２１ａに設けられた凸形状受け部２１ｈに当接して止められる。そのとき、図１２に示すように、リブ形状２３ｆも吸込具本体２１の上ケース２１ａに設けられた切欠き２１ｆの上ケースリブ形状当て部２１ｋに当接して回動が規制されている。
【００４４】
このように、継手管２２を概ね垂直位置まで大きく回動させても吸込具本体２１の下ケース２１ｂと継手管２２の連結部開口２２ｃの端部の下辺との間にできる下部開口（第２の開口）４２をシャッター部材２３の下部閉塞部（第２の閉塞部）２３ｄが塞ぐので、吸込口２４からの塵埃を含んだ空気の吸引力が低下せず、清掃性能を維持できる。
【００４５】
これとは逆に、概ね垂直の位置から４５度の位置まで回動させると、シャッター部材２３は継手管２２と一緒に連動して回動し、図７の状態まで戻る。継手管２２が図７に示す概ね４５度の位置にあるとき、シャッター部材２３の上部閉塞部（第１の閉塞部）２３ｃの端部に設けられた第２の凸形状２３ｇが、上ケース２１ａに設けられた凸形状受け部２１ｈと当接している。
【００４６】
この位置から継手管２２を、図６に示す概ね水平の状態まで回動させようと一定の力を加えると、シャッター部材２３は上部閉塞部（第１の閉塞部）２３ｃの端部に設けられた第２の凸形状２３ｇが、上ケース２１ａに設けられた凸形状受け部２１ｈによって回動が規制されているため回動せず、一定の力が加えられたことで、シャッター部材２３の下部閉塞部（第２の閉塞部）２３ｄに設けられた第１の凸形状２３ｅと継手管２２の連結部開口２２ｃの１辺である下側辺の端部との係合が解除され、継手管２２のみが回動する。
【００４７】
継手管２２を図６に示す概ね水平位置まで回動させると、吸込具本体２１の上ケース２１ａと継手管２２の連結部開口２２ｃの端部の上辺との間に、上部開口（第１の開口）４１ができる。
【００４８】
この上部開口（第１の開口）４１は、継手管２２と連動せず回動しなかったシャッター部材２３の上部閉塞部（第１の閉塞部）２３ｃが、上部開口（第１の開口）４１ができる位置にとどまることで塞がれる。これにより、吸込口２４からの塵埃を含んだ空気の吸引力を低下させる不要な空気の吸引を抑制している。
【００４９】
また、この状態ではシャッター部材２３が吸込具本体２１と継手管２２の連結部開口２２ｃとの間の通風路に突出していないので、通風路を狭めてしまうと発生する可能性がある、吸気のときの異音（風切り音）が発生しない。さらに、シャッター部材２３に塵埃が引っ掛かり留まることもない。
【００５０】
このように、継手管２２を概ね水平位置まで大きく回動させても吸込具本体２１の上ケース２１ａと継手管２２の連結部開口２２ｃの端部の上辺との間にできる上部開口（第１の開口）４１をシャッター部材２３の上部閉塞部（第１の閉塞部）２３ｃが塞ぐので、吸込口２４からの塵埃を含んだ空気の吸引力が低下せず、清掃性能を維持できる。
【００５１】
（電気掃除機の構成）
図１３は本発明の実施の形態１に係る電気掃除機の吸込具を電気掃除機に接続した状態を示す斜視図である。図１により、本発明の実施の形態１に係る電気掃除機の吸込具が接続される電気掃除機全体の概略構成を説明する。
【００５２】
図１３に示すように、本発明の実施の形態１に係る電気掃除機の吸込具１は延長管２、把持部３、ホース体５を介して電気掃除機本体６と接続されていて、全体として電気掃除機１００が構成される。
【００５３】
電気掃除機本体６内には図示しない電動送風機、図示しない制御基板、電動送風機等に電力を供給する図示しない電源コードを収納するためのコードリールが内包される。吸込具１は前述のようにブラシ駆動用モーター３１で駆動する回転ブラシ２５を備えており、吸込具１の継手管２２に設けられている接続端子２８により、図示しない制御基板と電気的に接続されている。
【００５４】
ホース体５は、蛇腹のような可撓性を有する軟質管で形成されている。電気掃除機本体６の前側には、ホース体５の一端を接続するための接続口７が設けられている。ホース体５のもう一端は、把持部３の一端に接続される。把持部３は吸込具１を操ることと、掃除機本体６の取り廻しをするためのものであり、硬質の樹脂素材で形成されている。
【００５５】
把持部３には操作部４が設けられている。操作部４は図示しない複数の操作スイッチを有し、これら操作スイッチから入力すると、電気掃除機本体６に内包された図示しない制御基板が電動送風機を駆動させる。
【００５６】
把持部３のもう一端には、延長管２の一端が接続される。延長管２は図示しないが伸縮構造を有しており、掃除をするとき、必要に応じて伸ばして使用することができるようになっていて、把持部３と同様、硬質の樹脂素材で形成されている。
【００５７】
延長管２のもう一端は、吸込具１に接続される。吸込具１は、塵埃を含んだ空気を吸い込むものである。
【００５８】
電気掃除機本体６の上面には、前方から後方に傾斜するように集塵部９が着脱自在に取付けられている。集塵部９は、図示しない電動送風機が発生する吸引風によって、吸込具１から吸い込んだ塵埃を含んだ空気から、塵埃と空気を分離して塵埃を捕集、収容するためのものである。
【００５９】
次に電気掃除機の動作について説明する。延長管２、把持部３、ホース体５を介して電気掃除機本体６と接続された電気掃除機の吸込具１を備える電気掃除機１００は、把持部３に設けられた操作部４からの入力により図示しない制御基板が図示しない電動送風機を駆動する。
【００６０】
駆動した電動送風機が吸引風を発生させることにより、吸込具１から塵埃を含んだ空気を吸い込むことが可能となり、吸込具１から吸い込んだ塵埃を含んだ空気から、塵埃と空気を分離して塵埃を捕集、収容する。
【００６１】
電気掃除機１００で高さの低い脚部を有する家具の下の被清掃面を清掃するとき、把持部を被清掃面の近く、ほぼ水平の位置まで下げても、本発明の実施の形態１に係る電気掃除機の吸込具１を備えているので、把持部３を操り吸込具本体２１に力をかけるとき、吸込具本体の高さ方向において中央寄りの位置で吸込具本体２１に力をかけることができて被清掃面から吸込具本体２１の前側あるいは後側が浮いて吸引性能が低下することがない。
【００６２】
また、吸込具１は回動軸の回動中心と同じ回動中心で回動するシャッター部材を備え、シャッター部材は継手管の回動と連動して、継手管と吸込具本体との間で上側にできる第１の開口を塞ぎ、空気漏れを確実に塞ぐことができ、空気漏れによる吸引性能の低下を抑制できる。
【００６３】
それから、電気掃除機１００で壁と家具等の隙間の被清掃面を清掃するとき、把持部を、ほぼ垂直の位置まで上げても、本発明の実施の形態１に係る電気掃除機の吸込具１を備えているので、シャッター部材は継手管の回動と連動して、継手管と吸込具本体との間で下側にできる第２の開口を塞ぎ、空気漏れを確実に塞ぐことができ、空気漏れによる吸引性能の低下を抑制できる。
【符号の説明】
【００６４】
１  吸込具、２  延長管、３  把持部、４  操作部、５  ホース体、６  電気掃除機本体、７  接続口、８  集塵部、２１  吸込具本体、２１ａ  上ケース、２１ｂ  下ケース、２１ｃ  ダンパー、２１ｄ  回動軸受け部、２１ｅ  回動軸受け部、２１ｆ  切欠き、２１ｇ  切欠き、２１ｈ  凸形状受け部、２１ｊ  リブ形状受け部、２１ｋ  上ケースリブ形状当て部、２１ｍ  下ケースリブ形状当て部、２２  継手管、２２ａ  回動軸、２２ｂ  回動軸、２２ｃ  連結部開口、２２ｄ  通風路、２３  シャッター部材、２３ａ  シャッター部材ａ、２３ｂ  シャッター部材ｂ、２３ｃ  上部閉塞部（第１の閉塞部）、２３ｄ  下部閉塞部（第２の閉塞部）、２３ｅ  第１の凸形状、２３ｆ  リブ形状、２３ｇ  第２の凸形状、２３ｈ  接続線通し穴、２４  吸込口、２５  回転ブラシ、２６  スイッチ、２６ａ  ローラー、２７  車輪、２８  接続端子、３１  ブラシ駆動用モーター、４１  上部開口（第１の開口）、４２  下部開口（第２の開口）、１００  電気掃除機。
【図１】
2016202276.tif 000003
【図２】
2016202276.tif 000004
【図３】
2016202276.tif 000005
【図４】
2016202276.tif 000006
【図５】
2016202276.tif 000007
【図６】
2016202276.tif 000008
【図７】
2016202276.tif 000009
【図８】
2016202276.tif 000010
【図９】
2016202276.tif 000011
【図１０】
2016202276.tif 000012
【図１１】
2016202276.tif 000013
【図１２】
2016202276.tif 000014
【図１３】
2016202276.tif 000015